(57)【特許請求の範囲】
【請求項１】
通話中に他の電話装置からの発呼があった場合、現在通話中の電話装置との間の回線と上記他の電話装置との間の回線とを切り換えて閉結するキャッチホン手段と、
該キャッチホン手段による上記回線の切り換えを指示するためのキャッチ操作部と、
を備えた電話装置において、
上記キャッチ操作部が、他の機能を有する所定操作部と兼用に構成され、
回線が閉結され、かつ、ダイヤル後であるか否かを判断する判断手段と、
自身が発呼側の場合に、上記判断手段が上記回線が閉結されかつダイヤル後ではないと判断したときは上記キャッチ操作部を上記他の機能を有する所定操作部として、上記回線が閉結されかつダイヤル後であると判断したときは上記キャッチ操作部としてそれぞれ機能させる機能切り換え手段と、
を備えたことを特徴とする電話装置。
【請求項２】
電話番号を記憶する記憶手段と、
該記憶手段から上記電話番号を読み出して発呼するメモリ発呼手段と、
を更に備え、
上記所定操作部が、上記メモリ発呼手段による発呼を指示するための操作部であることを特徴とする請求項１記載の電話装置。
【発明の詳細な説明】
【０００１】
【発明の属する技術分野】
本発明は、電話装置に関し、詳しくは、通話中に他の電話装置からの発呼があった場合、現在通話中の電話装置との間の回線と上記他の電話装置との間の回線とを切り換えて閉結するいわゆるキャッチホンを利用できる電話装置に関するものである。
【０００２】
【従来の技術】
従来より、通話中に他の電話装置からの発呼があった場合、現在通話中の電話装置との間の回線と上記他の電話装置との間の回線とを切り換えて閉結するキャッチホン手段と、該キャッチホン手段による上記回線の切り換えを指示するためのキャッチ操作部と、を備えた電話装置が考えられている。この種の電話装置では、通話中に他の電話装置からの発呼があった場合にも、キャッチ操作部を操作すれば、現在通話中の電話装置との間の回線と上記他の電話装置との間の回線とを切り換えて閉結することができる。このため、いわゆる「お話中」の状態を継続させて発呼者を待たせてしまうのを防止することができる。
【０００３】
【発明が解決しようとする課題】
ところが、この種の電話装置では、従来から設けられているダイヤルボタン等の操作部の他に、新たにキャッチ操作部を設けなければならない。このため、電話装置の操作部の部品点数が増加し、製造コストが上昇していた。特に、近年の電話装置では、ダイヤルボタンとして「＊」，「＃」等の記号を入力するためのボタンを設けたり、予め不揮発メモリ等の記憶手段に記憶しておいた電話番号を読み出して発呼するためのいわゆる短縮ダイヤル用のボタンを設けたりしており、操作部の構成がきわめて複雑化している。このため、キャッチ操作部を新たに設けるためには、スペース上の課題やデザイン上の課題も生じる。
【０００４】
そこで、本発明は、上記問題点を解決するためになされたものであり、新たな操作部を設けることなくキャッチホンを利用可能とした電話装置を提供することを目的としている。
【０００５】
【課題を解決するための手段および発明の効果】
上記目的を達するためになされた請求項１記載の発明の電話装置は、通話中に他の電話装置からの発呼があった場合、現在通話中の電話装置との間の回線と上記他の電話装置との間の回線とを切り換えて閉結するキャッチホン手段と、該キャッチホン手段による上記回線の切り換えを指示するためのキャッチ操作部と、を備えた電話装置において、上記キャッチ操作部が、他の機能を有する所定操作部と兼用に構成され、回線が閉結され、かつ、ダイヤル後であるか否かを判断する判断手段と、自身が発呼側の場合に、上記判断手段が上記回線が閉結されかつダイヤル後ではないと判断したときは上記キャッチ操作部を上記他の機能を有する所定操作部として、上記回線が閉結されかつダイヤル後であると判断したときは上記キャッチ操作部としてそれぞれ機能させる機能切り換え手段と、を備えたことを特徴とする電話装置。
【０００６】
このように構成された本発明では、キャッチホン手段による回線の切り換えを指示するためのキャッチ操作部が、他の機能を有する所定操作部と兼用に構成されている。このため、新たな操作部を設けることなくキャッチホンを利用することができる。従って、操作部の部品点数を減らして、製造コストを良好に低減することができる。また、キャッチホンを利用するために新たな操作部を設ける必要がないので、スペース上の課題やデザイン上の課題も生じない。従って、電話装置の開発コストも良好に低減することができる。
【０００７】
【０００８】
更に、本発明では、自身が発呼側の場合、回線が閉結されかつダイヤル後であるか否かを判断手段が判断し、その判断に応じて、機能切り換え手段がキャッチ操作部の機能を次のように切り換える。すなわち、回線が閉結されかつダイヤル後ではないと判断されたときはキャッチ操作部を他の機能を有する所定操作部として機能させ、回線が閉結されかつダイヤル後であると判断されたときはキャッチ操作部として機能させるのである。キャッチホン手段による回線の切り換えは、その電話装置と他の電話装置との間で回線が閉結されているときにしか行われない。そこで、機能切り換え手段は、自身が発呼側の場合、回線が閉結されかつダイヤル後であるか否かに応じてキャッチ操作部の機能を切り換えるのである。
【０００９】
このため、本発明では、自身が発呼側の場合、キャッチホン手段が有効な場合にのみキャッチ操作部をキャッチ操作部として機能させ、それ以外の場合はキャッチ操作部を所定操作部として機能させることができる。従って、本発明では、上記効果に加えて、キャッチ操作部を所定操作部と兼用させたことにより電話装置の利便性が損なわれるのを、良好に防止することができるといった効果が生じる。
【００１０】
請求項２記載の発明の電話装置は、請求項１記載の構成に加え、電話番号を記憶する記憶手段と、該記憶手段から上記電話番号を読み出して発呼するメモリ発呼手段と、を更に備え、上記所定操作部が、上記メモリ発呼手段による発呼を指示するための操作部であることを特徴としている。
【００１１】
本発明では、所定操作部として機能しているキャッチ操作部を操作すれば、メモリ発呼手段により、記憶手段からそこに記憶された電話番号を読み出して発呼することができる。このため、他の電話装置に対する発呼をきわめて容易にかつ正確に行うことができる。また、メモリ発呼手段は、他の電話装置との間で回線が閉結されているときには殆ど利用されない。このため、回線が閉結されているときはキャッチ操作部がキャッチ操作部としてのみ機能するようにしても、メモリ発呼手段の利用に対する利便性が殆ど損なわれない。従って、本発明では、請求項１記載の発明の効果に加えて、他の電話装置に対する発呼をきわめて容易にかつ正確に行うことができると共に、上記兼用により電話装置の利便性が損なわれるのを、一層良好に防止することができるといった効果が生じる。
【００１２】
【発明の実施の形態】
次に、本発明の実施の形態を図面と共に説明する。図１は、本発明を適用したファクシミリ装置１の構成を概略的に表すブロック図である。なお、本実施の形態のファクシミリ装置１は、後述するように電話装置としても使用可能な装置である。
【００１３】
図１に示すように、ファクシミリ装置１は、回線制御を行うネットワーク・コントロール・ユニット（ＮＣＵ）２を介して電話回線に接続されている。また、ファクシミリ装置１の中核となるＣＰＵ３は、バスライン４を介してＮＣＵ２を初めとする次のような装置各部と接続され、所定の通信制御手順に従ってファクシミリ動作つまりデータ通信を実行するものである。
【００１４】
モデム５はＦＡＸデータを変調・復調して伝送すると共に、伝送制御用の各種手順信号を送受信するものである。ＲＯＭ７は、後述の各種制御プログラム等を書き換え不能に記憶したメモリである。ＲＡＭ９は、制御実行時の各種データを一時的に記憶するためのメモリである。操作パネル１１は、ファクシミリ装置１の動作状態を表示すると共に、後述の各種ボタンを備えている。スキャナ１３は、送信すべき原稿の画像を光学的に読み取るもので、例えば、原稿に向けてレーザ光を掃引照射する発光部と、原稿からの反射光を受光して原稿画像のビットイメージを作成する受光部とから構成されている。
【００１５】
プリンタ１５は、受信したＦＡＸデータに対応する画像を図示しない記録紙に記録するものであり、例えば、レーザ光により感光体に潜像を形成し、それをトナーを用いて現像し、記録紙に転写する静電電子写真記録方式が用いられる。変換部１７は、スキャナ１３を介して読み込んだビットイメージ等のデータを符号化して通信用のＦＡＸデータに変換したり、受信したＦＡＸデータを復号化して印刷用の画像データに変換したりするもので、例えば、符号化用または復号化用の回路を両者に兼用に使用することによって構成されている。
【００１６】
また、バスライン４には更に、後述のスピーカホンボタン３３の押下時に送話機として機能するマイク２１、呼出音等を発生すると共にスピーカホンボタン３３の押下時に受話器として機能するスピーカ２３、図示しないマイクおよびスピーカを内蔵したハンドセット２５、そのハンドセット２５が置かれているか否かを検出するフックスイッチ２７、および、使用頻度の高い電話番号を短縮ダイヤルとして記憶する不揮発メモリ２９が、接続されている。なお、不揮発メモリ２９は、電話番号を２桁の数字（１桁，３桁等であってもよい）と対応付けて記憶し、停電等に関わらずその記憶内容を保持するものである。また、短縮ダイヤルの不揮発メモリ２９への登録方法は周知であるのでここでは説明を省略する。
【００１７】
次に、操作パネル１１の構成について、図２を用いて説明する。図２に示すように、操作パネル１１には、被呼側の電話番号をダイヤルしたり、発信元データ等の文字入力をするためのダイヤルボタン３１、ハンドセット２５を置いたままでダイヤルしたり通話したりするためのスピーカホンボタン３３、通話中に他の電話装置から発呼があった場合に割込通話を許可したり、予め記憶しておいた短縮ダイヤルを利用したりするためのキャッチ／短縮ボタン３５、最後にダイヤルした電話番号を再びダイヤルしたり、電話番号入力中にポーズを入れたりするための再ダイヤル／ポーズボタン３７、電話回線を保留にして被呼側にメロディを流すための保留ボタン３９、呼出音または通話音の音量を増加または減少させるための音量切換ボタン４１，４３、等の各種ボタンと、各種メッセージを表示するためのディスプレイ４５とが設けられている。なお、ダイヤルボタン３１の内、「＃」に対応するボタン３１ａは、ダイヤル回線でプッシュホンサービスを利用する場合に押下されるトーンボタンとなっている。
【００１８】
前述のように、ＣＰＵ３はＮＣＵ２，モデム５，ＲＯＭ７，ＲＡＭ９，操作パネル１１，スキャナ１３，プリンタ１５，変換部１７，マイク２１，スピーカ２３，ハンドセット２５，フックスイッチ２７，および不揮発メモリ２９に接続されており、各部と信号の入出力を行うことにより、ＦＡＸ送信動作、ＦＡＸ受信動作、コピー動作、または通話動作に関わる各種処理を実行する。なお、これらの処理は周知（例えば特願平９−９４０９６号参照）であるので、ここでは詳細な説明を省略する。
【００１９】
次に、キャッチ／短縮ボタン３５の操作に関連してＣＰＵ３が実行する処理について、図３のフローチャートを用いて説明する。なお、ＣＰＵ３は、この処理を所定時間毎に繰り返し実行する。図３に示すように、処理を開始すると、先ず、Ｓ１（Ｓはステップを表す：以下同様）にてキャッチ／短縮ボタン３５が押下されたか否かを判断する。押下されていない場合は（Ｓ１：ＮＯ）、そのままＳ１にて待機しながら図示しない他の処理を実行する。
【００２０】
キャッチ／短縮ボタン３５が押下されると（Ｓ１：ＹＥＳ）、続くＳ３へ移行し、回線が閉結されているか否かを判断する。ここでは、ハンドセット２５が取られた状態、またはスピーカホンボタン３３が押下された状態である場合に、回線が閉結されていると判断する。すなわち、他の電話装置との間では回線が閉結されておらず、交換器との間でのみ回線が閉結されて閉結音（いわゆるダイヤルトーン）が聞こえている状態も回線閉結と判断する。
【００２１】
回線が閉結されていない場合（Ｓ３：ＮＯ）、Ｓ５へ移行して短縮処理を実行した後、一旦処理を終了する。このＳ５の処理では、続いて入力される２桁の数字に対応する電話番号を不揮発メモリ２９から読み出し、ＮＣＵ２を介して発呼する。すなわち、この場合、キャッチ／短縮ボタン３５は短縮ダイヤルを利用するための操作部として機能する。なお、このＳ５の処理により、他の電話装置に対する発呼をきわめて容易にかつ正確に行うことができる。また、ハンドセット２５が取られたり、スピーカホンボタン３３が押下されたりすることなく、この処理へ移行した場合は、スピーカホンボタン３３が押下された場合と同様にスピーカ２３等を機能させる。
【００２２】
一方、回線が閉結されている場合は（Ｓ３：ＹＥＳ）Ｓ７へ移行し、ファクシミリ装置１自身が被呼側であるか否かを判断する。自身が被呼側である場合は、回線の閉結（Ｓ３：ＹＥＳ）と同時に発呼側の電話装置との間で回線が閉結される。すなわち、Ｓ７で肯定判断した場合は、既に通話中であることが判る。そこで、この場合、Ｓ９へ移行してキャッチ処理を実行した後、一旦処理を終了する。このＳ９の処理では、他の電話装置からの発呼がある場合、現在通話中の電話装置との間の回線と上記他の電話装置との間の回線とを切り換えて閉結する。また、上記通話中の電話装置との間の回線は保留にし、その電話装置にはメロディーやメッセージを流す。すなわち、この場合、キャッチ／短縮ボタン３５はキャッチホンを利用するためのキャッチ操作部として機能する。
【００２３】
また、回線が閉結され（Ｓ３：ＹＥＳ）、かつ、自身が発呼側である場合は（Ｓ７：ＮＯ）、Ｓ１１へ移行してダイヤル後か否かを判断する。ダイヤル後の場合は（Ｓ１１：ＹＥＳ）、既に通話中であるか、または被呼側を呼出中であることが判る。そこで、この場合もＳ９へ移行して、キャッチ処理を実行して一旦処理を終了する。また、ダイヤル前の場合は（Ｓ１１：ＮＯ）、ハンドセット２５を取った後、またはスピーカホンボタン３３を押下した後、被呼側の電話番号をダイヤルしようとしている状態であることが判る。そこで、この場合は前述のＳ５へ移行し、短縮処理を実行して一旦処理を終了する。
【００２４】
このように、ファクシミリ装置１では、キャッチホンを利用するための操作部が、短縮ダイヤルを利用するための操作部と兼用に構成され、キャッチ／短縮ボタン３５となっている。このため、新たな操作部を設けることなくキャッチホンを利用することができる。従って、操作パネル１１を構成する部品点数を減らして、製造コストを良好に低減することができる。また、キャッチホンを利用するために新たな操作部を設ける必要がないので、スペース上の課題やデザイン上の課題も生じない。従って、開発コストも良好に低減することができる。
【００２５】
また、ファクシミリ装置１では、他の電話装置との間に回線が閉結され、既に通話中または被呼側を呼出中である場合（Ｓ７：ＹＥＳまたはＳ１１：ＹＥＳ）にのみ、キャッチ／短縮ボタン３５をキャッチ操作部として機能させている。すなわち、Ｓ９のキャッチ処理が有効な場合にのみ、キャッチ／短縮ボタン３５をキャッチ操作部として機能させている。更に、短縮ダイヤルは、他の電話装置との間で回線が閉結されているときには殆ど利用されない。このため、そのときにキャッチ／短縮ボタン３５を短縮ダイヤルを利用するための操作部として使用できなくても、殆ど問題が生じない。従って、ファクシミリ装置１では、上記兼用により装置の利便性が損なわれるのを、きわめて良好に防止することができる。
【００２６】
なお、上記実施の形態において、Ｓ９の処理，その処理を記憶したＲＯＭ７の記憶領域，およびＣＰＵ３がキャッチホン手段に、キャッチ／短縮ボタン３５がキャッチ操作部に、Ｓ３，７，１１の処理，それらの処理を記憶したＲＯＭ７の記憶領域，およびＣＰＵ３が判断手段および機能切り換え手段に、不揮発メモリ２９が記憶手段に、Ｓ５の処理，その処理を記憶したＲＯＭ７の記憶領域，およびＣＰＵ３がメモリ発呼手段に、それぞれ相当する。
【００２７】
また、本発明は上記実施の形態になんら限定されるものではなく、本発明の要旨を逸脱しない範囲で種々の形態で実施することができる。例えば、上記実施の形態では、短縮ダイヤルを利用するための操作部をキャッチ操作部と兼用にしているが、通話中に使わない操作部であれば他の操作部を兼用させることもできる。例えば、再ダイヤル／ポーズボタン３７を、通話中にはキャッチ操作部として機能するように構成してもよい。この場合も、利便性を損なうことなく部品点数を減らすことができる。また、キャッチ操作部の機能の切り換えに関わる判断は、他の方法で行ってもよい。更に、本発明は、ファクシミリ装置としての機能を有さない種々の電話装置にも適用することができる。
【図面の簡単な説明】
【図１】本発明を適用したファクシミリ装置の構成を概略的に表すブロック図である。
【図２】そのファクシミリ装置の操作パネルの構成を表す平面図である。
【図３】そのファクシミリ装置で実行される処理の一例を表すフローチャートである。
【符号の説明】
１…ファクシミリ装置      ２…ＮＣＵ      ３…ＣＰＵ      ５…モデム
７…ＲＯＭ      ９…ＲＡＭ    １１…操作パネル    ２５…ハンドセット
２７…フックスイッチ          ３３…スピーカホンボタン
３５…キャッチ／短縮ボタン    ４５…ディスプレイ
【図１】
0003780630.tif 000002
【図２】
0003780630.tif 000003
【図３】
0003780630.tif 000004